(57)【要約】      （修正有）【課題】紙製梱包箱の蓋体の粘着強度を向上させる装置を提供する。【解決手段】梱包箱３と剥離基材とからなる。梱包箱３は、開口の向かい合う両側に連結した第一外フラップ３Ａと第二外フラップ３Ｂ、及び、開口のもう一方の向かい合う両側に連結した第一内フラップ３Ｃと第二内フラップ３Ｄと、を備える。第一外フラップ３Ａと第二外フラップ３Ｂの自由端はそれぞれ切断されて複数の切り込み３２が設けられ、それにより、複数の可動片３３が形成される。前記剥離基材は第一外フラップ３Ａと第二外フラップ３Ｂの可動片３３に貼り付けられ、可動片３３の動かせる特徴により、包装時、第一外フラップ３Ａと第二外フラップ３Ｂをさらにしっかりと梱包箱に貼り付けることができる。【選択図】図１
0003209189.tif 000002
【実用新案登録請求の範囲】
【請求項１】
梱包箱と、剥離基材と、からなる紙製梱包箱の蓋体の粘着強度を向上させる装置であって、
前記梱包箱は、箱体の上端開口の向かい合う両側に連結された第一外フラップと第二外フラップとを備え、
前記第一外フラップと第二外フラップの自由端には、複数の切り込みがそれぞれ入れられ、
前記第一外フラップと第二外フラップの自由端には、複数の可動片が形成され、前記剥離基材の一側面には、両面テープの一側面が貼り付けられ、前記両面テープの他側面には、前記第一外フラップと前記第二外フラップの可動片が貼り付けられることを特徴とする、紙製梱包箱の蓋体の粘着強度を向上させる装置。
【請求項２】
前記切り込みの長手方向は、第一外フラップと第二外フラップの自由端に平行していることを特徴とする、請求項１に記載の紙製梱包箱の蓋体の粘着強度を向上させる装置。
【請求項３】
前記可動片の幅は、梱包箱の寸法や大きさによって決まることを特徴とする、請求項２に記載の紙製梱包箱の蓋体の粘着強度を向上させる装置。
【考案の詳細な説明】
【技術分野】
【０００１】
本考案は包装用の装置に関し、特に、梱包箱を開封後に繰り返し再利用できるようにし、梱包箱密封時に蓋体を更にしっかりと貼り付ける装置に関する。
【背景技術】
【０００２】
消費者が荷物を受けとって開封する時、テープを剥がすか、ナイフでテープを切るかする必要がある。しかしながら、テープを剥がすにしても切るにしても、多かれ少なかれ梱包箱及びテープに傷がついてしまい、梱包箱をリサイクルして繰り返し使うことができなくなる。とりわけ、消費者がクーリングオフの期間内に買ったことを後悔して返品したいときには更に困る。傷ついてしまったために梱包箱は使えなくなり、そのまま捨てられてしまう。梱包箱は、大量の樹木を伐採して作られるため、環境保護の要求にも合わず、資源の無駄使いにもつながる。
【０００３】
上述の問題を解決するために、本考案者による台湾実用新案第１０５２０９３５３号では、梱包箱に結合することができ、梱包箱を密封し開封した後も、もう一度密封することで繰り返して利用できる密封開封装置を提供している。その構造は、細長い形をした剥離基材にその長手方向に沿って分離破線が形成され、且つ剥離基材の一側面に両面テープが貼り付けられている。二本の剥離基材の両面テープが梱包箱の向かい合う二つの主要な蓋板にそれぞれ貼り付けられることによって、梱包箱のうち一つの主要な蓋板を粘着・密封してから剥がして開封した後も、もう一つの主蓋板を使って再び密封できるため、梱包箱を繰り返し使用できる。さらには、梱包箱の向かい合う両側にそれぞれ二つの主蓋板を設けることで、何度も繰り返し使用できる梱包箱の機能を達成することもできる。
【０００４】
しかしながら、包裝する品物の需要によって梱包箱の寸法はそれぞれ異なるため、梱包箱が大きめの時、梱包箱の開口側辺に連結した開け口を覆うための蓋体の長さが増すことに加えて、紙製の蓋体の表面があまり平らではないため、蓋体に貼り付けられる剥離基材の粘着強度が低下し、梱包後、梱包箱の運送中に外力によって蓋板が僅かに開いてしまい、製造業者を悩ませている。
【先行技術文献】
【特許文献】
【０００５】
【特許文献１】台湾実用新案第１０５２０９３５３号明細書
【考案の概要】
【考案が解決しようとする課題】
【０００６】
本考案は、包装蓋体に剥離基材を貼り付けることによって接着強度を高め、梱包後、接着不十分になる現象を避けるための設備を提供することを目的とする。
【課題を解決するための手段】
【０００７】
本考案は、梱包箱と、剥離基材とからなる。前記梱包箱は、開口の向かい合う両側に連結している第一外フラップと、第二外フラップとを備え前記第一外フラップと第二外フラップの自由端は、それぞれ切断された複数の切り込みからなる可動片が設けられる。前記剥離基材は第一外フラップと第二外フラップの可動片に貼り付けられることによって、前記可動片は動かせるようになり、第一外フラップと第二外フラップは包装時、更にしっかりと梱包箱に貼り付けられる。
【０００８】
本考案は紙製梱包箱の蓋体の粘着強度を向上させる装置を提供し、その技術的手段は梱包箱と剥離基材とからなり、そのうち、前記梱包箱は、箱体の上端開口の向かい合う両側に連結している第一外フラップと一第二外フラップ、及び、箱体の上端開き口のもう一つの向かい合う両側に連結している第一内フラップと一第二内フラップと、を備える。前記第一外フラップと前記第二外フラップの自由端にそれぞれ切断された複数の切り込みが設けられ、さらに、前記第一外フラップと前記第二外フラップの自由端にそれぞれ形成された複数の可動片が設けられる。前記剥離基材は連続して伸びる細長い形状で、前記剥離基材の長さに沿って分離破線が形成され、前記分離破線は剥離基材を基部と切り取り片の二つの部分に分け、前記剥離基材の一側の面に両面テープの一側の面が貼り付けられ、前記両面テープのもう一つの面は第一外フラップと第二外フラップ上に貼り付けられ、且つ前記可動片に貼り付けてかぶせる。  
【図面の簡単な説明】
【０００９】
【図１】本考案における梱包箱の第一外フラップと第二外フラップに均一に複數の切り込みと可動片を設けた実施例の斜視図である。
【図２】本考案の剥離基材の構造の平面図である。
【図３】本考案における図２の剥離基材に両面テープを貼り付けた実施例の斜視図である。
【図４】本考案における梱包箱に貼り付けられた二本の剥離基材の第一外フラップと第二外フラップの実施例を示した図である。
【図５】本考案における図４の第一外フラップをかぶせ、第二外フラップ上の剥離基材を剥がした実施例の斜視図である。
【図６】本考案における図５の第二外フラップ上の剥離基材を完全に剥がした実施例の斜視図である。
【図７】本考案における図６の第二外フラップをかぶせ、密封した後の実施例の斜視図である。
【図８】本考案における図７の第二外フラップを切り取り片に沿って剥がした実施例の斜視図である。
【図９】本考案における図８の第二外フラップを切り取り片に沿って完全に剥がした実施例の斜視図である。
【考案を実施するための形態】
【００１０】
本考案による紙製梱包箱の蓋体の粘着強度を向上させる装置は、図１に示す梱包箱３と、図２に示す剥離基材１と、図３に示す両面テープ２と、からなる。そのうち、図１に示すように、梱包箱３は、速達便または物流運送のため品物を置いておく箱体であり、梱包箱３は、箱体上端の開口の向かい合う両側に連結した第一外フラップ３Ａ及び第二外フラップ３Ｂと、箱体のもう一つの向かい合う両側に連結した第一内フラップ３Ｃ及び第二内フラップ３Ｄとを備える。第一外フラップ３Ａと第二外フラップ３Ｂ上の自由端には、複数の切り込み３２がそれぞれ入れられ、さらに、第一外フラップ３Ａと第二外フラップ３Ｂの自由端には、複数の可動片３３がそれぞれ形成される。つまり切り込み３２によって分割されている各可動片３３の一端は、第一外フラップ３Ａと第二外フラップ３Ｂに連結しており、これにより、各可動片３３は、第一外フラップ３Ａと第二外フラップ３Ｂに対して自由に曲げることができる。
【００１１】
図２と図３に示すように、剥離基材１は、接着剤で貼り付きにくい適切な素材からなる薄くて長い物体であり、延伸して連続する細長い形にすることができ、長さに制限はない。また、巻き付けて束ねてしまうこともでき、保管や運送、加工に便利である。剥離基材１にはその長手方向に沿って分離破線１３が形成され、分離破線１３は剥離基材１を基部１１と切り取り片１２の二つの領域に分ける。分離破線１３は破って基部１１と切り取り片１２に分けることができる。そのうち、基部１１の長手方向の側辺には、基部１１の幅方向に向かって突出した複数の突出部１１１が形成される。突出部１１１は、長方形や波形、半円形等にすることができ、前記突出部は等間隔に配置するのが好ましい。基部１１の幅は切り取り片１２の幅より広い。
【００１２】
図２に示すように、両面テープ２の向かい合う両面には、粘着性の第一貼付部２１と第二貼付部２２が設けられ、第一貼付部２１は剥離基材１の一側面に貼り付けられ、第二貼付部２２は梱包箱に貼り付けることができる。本考案の好ましい実施例では、両面テープ２の第一貼付部２１が基部１１の一部と、切り取り片１２の全部分を覆うと同時に、両面テープ２の第一貼付部２１が突出部１１１を覆う。
【００１３】
図４と図５は、二本の剥離基材１を梱包箱３に実際に適用した本考案を示した図である。本考案は、二本の剥離基材１の第二貼付部２２を第一外フラップ３Ａと第二外フラップ３Ｂの自由端の可動片３３にそれぞれ貼り付ける。それにより、両面テープ２を第一外フラップ３Ａと第二外フラップ３Ｂにしっかりと貼り付けることができる。しかも、剥離基材１の両側の第一外フラップ３Ａと第二外フラップ３Ｂには、剥離基材１の長手方向に平行する切れ目３１が形成される。切れ目３１は第一フラップ３Ａと第二外フラップ３Ｂの少なくとも一側の端から剥離基材１の長手方向に伸びるように設けられる。本考案の好ましい実施例では、第一外フラップ３Ａと第二外フラップ３Ｂの向かい合う両端に、切れ目３１が形成される。
【００１４】
梱包箱を密封する時は、まず、第一内フラップ３Ｃと第二内フラップ３Ｄを箱体にかぶせ、それから第一外フラップ３Ａを第一内フラップ３Ｃと第二内フラップ３Ｄの上にかぶせ、さらに、第二外フラップ３Ｂの上の剥離基材１を剥がして第一貼付部２１（図５と図６に図示）をむき出しにし、それから第二外フラップ３Ｂを第一外フラップ３Ａの上にかぶせると同時に、第一貼付部２１を第一外フラップ３Ａの上にしっかりと貼り付けると密封される。（図７に図示）
【００１５】
図８に示すように、梱包箱３を開封する時は、使用者は第二外フラップ３Ｂの一側の端から二つの切れ目３１の間にある切り取り片１２を持ち上げ、さらに切り取り片１２を剥離基材１の長手方向に沿って引きはがして第二外フラップ３Ｂを分解する。切り取り片１２全体を完全に剥がし、連結した第二外フラップ３Ｂが完全に分解され（図９）分離溝３０が形成されると、梱包箱３が開封される。
【符号の説明】
【００１６】
１      剥離基材
１１    基部
１１１  突出部
１２    切り取り片
１３    分離破線
２      両面テープ
２１    第一貼付部
２２    第二貼付部
３      梱包箱
３０    分離溝
３１    切れ目
３２    切り込み
３３    可動片
３Ａ    第一外フラップ
３Ｂ    第二外フラップ
３Ｃ    第一内フラップ
３Ｄ    第二内フラップ
【図１】
0003209189.tif 000003
【図２】
0003209189.tif 000004
【図３】
0003209189.tif 000005
【図４】
0003209189.tif 000006
【図５】
0003209189.tif 000007
【図６】
0003209189.tif 000008
【図７】
0003209189.tif 000009
【図８】
0003209189.tif 000010
【図９】
0003209189.tif 000011
【手続補正書】
【提出日】平成28年12月28日(2016.12.28)
【手続補正１】
【補正対象書類名】実用新案登録請求の範囲
【補正対象項目名】請求項２
【補正方法】変更
【補正の内容】
【請求項２】
前記切り込みの配列方向は、第一外フラップと第二外フラップの自由端に平行していることを特徴とする、請求項１に記載の紙製梱包箱の蓋体の粘着強度を向上させる装置。